(57)【要約】  本発明は、入口メッシュポイント（１０４−４）に肯定応答を送ることによってメッシュネットワーク（１００）内のデータパケットの送達を確認するための方法に関する。メッシュネットワーク（１００）は、無線で互いにリンクされた複数のメッシュポイント（１０４）を備える。局によって送信されたデータパケットは、入口メッシュポイント（１０４−４）によって受信される。ＭＡＣフレーム（２００）がデータパケットの送信のために作成され、フレームは、メッシュネットワークによるサービスの提供のために出口メッシュポイント（１０４−２）に転送される。ＭＡＣフレーム（２００）は、入口メッシュポイントのアドレス（２０６）と出口メッシュポイントのアドレス（２０８）を備えるフィールドを含む。出口メッシュポイント（１０４−２）がデータパケットの受信に成功するとき、出口メッシュポイント（１０４−２）または中間メッシュポイント（１０４−５）は、入口メッシュポイント（１０４−４）または前のメッシュポイントにＡＣＫを送信する。
2008512949.tif 000002
【特許請求の範囲】
【請求項１】
メッシュ無線通信システムによるサービスの提供のために、局（ＳＴＡ）によって送信されたデータパケットが入口メッシュポイント（ＩＭＰ）によって受信されるように無線で互いにリンクされた複数のメッシュポイントを備える前記メッシュ無線通信システム内で、前記データパケットを送信するためのメディアアクセス制御（ＭＡＣ）フレームであって、
ＩＭＰアドレスを備えるフィールドを備え、
これによって前記データパケット受信の成功の肯定応答（ＡＣＫ）を前記ＩＭＰに送信することを特徴とするＭＡＣフレーム。
【請求項２】
出口メッシュポイント（ＥＭＰ）アドレスをさらに備えることを特徴とする請求項１に記載のＭＡＣフレーム。
【請求項３】
前記ＭＡＣフレームのフレーム制御フィールドは、前記ＭＡＣフレームが前記ＩＭＰアドレスと前記ＥＭＰアドレスを含むことを示すことを特徴とする請求項２に記載のＭＡＣフレーム。
【請求項４】
前記ＭＡＣフレームのフレーム制御フィールドは、前記データパケットに使用される肯定応答モードを示すことを特徴とする請求項２に記載のＭＡＣフレーム。
【請求項５】
前記ＡＣＫは、ＥＭＰ−ＩＭＰ間データ肯定応答モードで送られることを特徴とする請求項２に記載のＭＡＣフレーム。
【請求項６】
前記ＡＣＫは、シングルホップデータ肯定応答モードで送られることを特徴とする請求項１に記載のＭＡＣフレーム。
【請求項７】
前記ＡＣＫは、結合されたＥＭＰ-ＩＭＰとシングルホップのデータ肯定応答モードで送られることを特徴とする請求項２に記載のＭＡＣフレーム。
【請求項８】
前記フレーム制御フィールドは、前記データパケットについて肯定応答が送られるべきでないことを示すことを特徴とする請求項４に記載のＭＡＣフレーム。
【請求項９】
前記ＡＣＫは、前記データパケットの送信に使用されるパスと異なるパスを通って送信されることを特徴とする請求項１のＭＡＣフレーム。
【請求項１０】
複数のデータパケットに肯定応答するためにバルクＡＣＫが使用されることを特徴とする請求項９に記載のＭＡＣフレーム。
【請求項１１】
前記ＡＣＫは、トラフィックレベルに応じて意図的に異なるパスを介して送られることを特徴とする請求項９に記載のＭＡＣフレーム。
【請求項１２】
メッシュ無線通信システムによるサービスの提供のために、局（ＳＴＡ）によって送信されたデータパケットが入口メッシュポイント（ＩＭＰ）によって受信され、出口メッシュポイント（ＥＭＰ）に転送されるように無線で互いにリンクされた複数のメッシュポイントを備える前記メッシュ無線通信システム内で、前記データパケットの肯定応答（ＡＣＫ）を前記ＩＭＰに送る方法であって、
データパケットの送信のためのメディアアクセス制御（ＭＡＣ）フレームを生成することであって、前記ＭＡＣフレームは、ＩＭＰアドレスとＥＭＰアドレスを備えるフィールドを含むことと、
０個以上の中間メッシュポイントを介して、前記ＭＡＣフレームを前記ＥＭＰに転送することと、
前記データパケット受信成功のＡＣＫを前記ＩＭＰに送ることと
を備えたことを特徴とする方法。
【請求項１３】
前記ＭＡＣフレームのフレーム制御フィールドは、前記ＭＡＣフレームが前記ＩＭＰアドレスと前記ＥＭＰアドレスを含むことを示すことを特徴とする請求項１２に記載の方法。
【請求項１４】
前記ＭＡＣフレームのフレーム制御フィールドは、前記データパケットに使用される肯定応答モードを示すことを特徴とする請求項１２に記載の方法。
【請求項１５】
前記ＡＣＫは、ＥＭＰ−ＩＭＰデータ肯定応答モードで送られることを特徴とする請求項１２に記載の方法。
【請求項１６】
前記ＡＣＫは、シングルホップデータ肯定応答モードで送られることを特徴とする請求項１２に記載の方法。
【請求項１７】
前記ＡＣＫは、結合されたＥＭＰ−ＩＭＰとシングルホップのデータ肯定応答モードで送られることを特徴とする請求項１２に記載の方法。
【請求項１８】
前記フレーム制御フィールドは、前記データパケットについて肯定応答が送られるべきでないことを示すことを特徴とする請求項１７に記載の方法。
【請求項１９】
前記ＡＣＫは、前記データパケットの送信に使用されるパスと異なるパスを通って送信されることを特徴とする請求項１２に記載の方法。
【請求項２０】
複数のデータパケットに肯定応答するのにバルクＡＣＫが使用されることを特徴とする請求項１９に記載の方法。
【請求項２１】
前記ＡＣＫは、トラフィックレベルに応じて意図的に異なるパスを介して送られることを特徴とする請求項１９に記載の方法。
【発明の詳細な説明】
【技術分野】
【０００１】
本発明は、無線通信システムに関する。より詳しくは、本発明は、メッシュネットワーク内で入口メッシュポイント（ＩＭＰ：ｉｎｇｒｅｓｓ  ｍｅｓｈ  ｐｏｉｎｔ）に肯定応答（ＡＣＫ：ａｃｋｎｏｗｌｅｄｇｅｍｅｎｔ）を送るための方法、およびメディアアクセス制御（ＭＡＣ：ｍｅｄｉｕｍ  ａｃｃｅｓｓ  ｃｏｎｔｒｏｌ）フレームフォーマットに関する。
【背景技術】
【０００２】
メッシュ無線ローカルエリアネットワーク（ＷＬＡＮ：  ｗｉｒｅｌｅｓｓ  ｌｏｃａｌ  ａｒｅａ  ｎｅｔｗｏｒｋ）は、無線リンクを介して相互接続された２以上のメッシュポイントを備える無線ネットワークである。メッシュネットワークは一般に、メッシュネットワークの動作範囲内の１以上の無線局（ＳＴＡ：ｓｔａｔｉｏｎ）にサービスを提供する。メッシュポイントは、無線媒体とのＭＡＣおよび物理層（ＰＨＹ：  ｐｈｙｓｉｃａｌ  ｌａｙｅｒ）インターフェースを含み、ＷＬＡＮメッシュサービスをサポートするメッシュネットワーク内の任意の実体である。ＩＭＰは、データがそれを通ってメッシュＷＬＡＮに入るメッシュポイントであり、出口メッシュポイント（ＥＭＰ：ｅｇｒｅｓｓ  ｍｅｓｈ  ｐｏｉｎｔ）は、データがそれを通ってメッシュＷＬＡＮから出るメッシュポイントである。ＳＴＡによって送られたデータは、メッシュＷＬＡＮを通ってＩＭＰからＥＭＰにルーティングされる。
【０００３】
ＩＥＥＥ  ８０２．１１規格は、メッシュＷＬＡＮのための無線プロトコルを定義する規格のうちの１つである。現在のＩＥＥＥ  ８０２．１１規格は、下位層においてより信頼できるデータ伝送を可能にする肯定応答型モード（ａｃｋｎｏｗｌｅｄｇｅｄ  ｍｏｄｅ）を定義している。しかし、現在の肯定応答メカニズムは、データが宛先に送達される前にメッシュネットワーク上で多数のホップが必要とされるので、メッシュネットワーク内では機能しない。
【０００４】
メッシュＷＬＡＮにおいて、ＩＭＰとＥＭＰの間の通信が必要であり得る。図２に示すように、従来技術のＭＡＣフレームは、マルチホップ(multiple-hop)送信の間、ＩＭＰ  ＭＡＣアドレスを含まない。したがって、ＥＭＰは、ＩＭＰを識別して通信することができない。メッシュＷＬＡＮ内のＩＭＰとＥＭＰの間で肯定応答を送るためのメカニズムまたはフレームフォーマットはない。これによって、データ伝送の信頼性が著しく制限される。ＩＭＰとＥＭＰの間にＡＣＫメカニズムがないので、ＩＭＰはメッシュネットワークを通ったデータがＥＭＰによって正確に受信されたかどうかを知ることができない。
【発明の開示】
【発明が解決しようとする課題】
【０００５】
本発明は、ＩＭＰにＡＣＫを送ることによってメッシュネットワーク内のデータパケットの伝送を確認する方法に関する。メッシュネットワークは、無線で互いにリンクされた複数のメッシュポイントを備える。ＳＴＡによって送られたデータパケットは、ＩＭＰによって受信される。ＭＡＣフレームがデータパケットの送信のために作成され、フレームは、メッシュネットワークによるサービスの提供のためにＥＭＰに転送される。ＭＡＣフレームは、ＩＭＰアドレスとＥＭＰアドレスを備えるフィールドを含む。ＥＭＰ（または任意で中間メッシュポイント）がデータパケットの受信に成功したとき、ＥＭＰまたは中間メッシュポイントは、ＩＭＰまたは前のメッシュポイントにＡＣＫを送信する。
【０００６】
本発明のより詳細な理解は、例示するために示されており、添付の図面と併せて理解される好ましい実施形態についての以下の説明から得ることができる。
【課題を解決するための手段】
【０００７】
以降、用語「局」（ＳＴＡ）は、ユーザ装置、無線送受信ユニット（ＷＴＲＵ：ｗｉｒｅｌｅｓｓ  ｔｒａｎｓｍｉｔ／ｒｅｃｅｉｖｅ  ｕｎｉｔ）、固定または移動加入者ユニット、ページャ、または無線環境内で動作することができる他の任意の種類の装置を含むが、それらに限られない。以下で言及されるとき、用語「メッシュポイント」は、ノードＢ、基地局、サイトコントローラ、アクセスポイント、または無線環境内の他の任意の種類のインターフェース装置を含むが、それらに限られない。
【０００８】
本発明は、ＩＥＥＥ  ８０２．１１、ＩＥＥＥ  ８０２．１１ｓ，  ＩＥＥＥ  ８０２．１５、ＩＥＥＥ  ８０２．１５．５を含むがそれらに限られない、任意の無線のメッシュネットワークに適用することができる。
【０００９】
図１は、８個のメッシュポイント１０４1〜１０４8を備える例示的なメッシュＷＬＡＮ１００の図である。この例では、メッシュポイント１０４4はＳＴＡ  １０２のＩＭＰであり、メッシュポイント１０４2は、ＳＴＡ１０2よって送信されるデータのＥＭＰである。
【００１０】
ＳＴＡ１０２によって送信されるデータは、インターネットアクセスを求めて、メッシュＷＬＡＮ１００内の中間メッシュポイントを通って、あるメッシュポイント１０４4から別のメッシュポイント１０４2にルーティングされる。複数のデータパスが、メッシュＷＬＡＮ  １００内で確立されることができる。一例として、ＩＭＰメッシュポイント１０４4からＥＭＰメッシュポイント１０４2への２つの異なるデータパスが、図１で「Ａ」および「Ｂ」と指定された実線によって示されている。
【００１１】
図２を参照して上記で述べたように、従来技術の８０２．１１  ＭＡＣフレームフォーマットの欠点は、マルチホップ送信においてＭＡＣフレーム内にＩＭＰアドレスが含まれないことである。本発明は、ＭＡＣフレーム４００内にＩＭＰのアドレスを含めることによってこの問題を解決する。図４を参照して、本発明によるメッシュＭＡＣフレーム２００の図が示されている。ＭＡＣフレーム２００は、ＭＡＣヘッダ２０４と、フレーム本体２１２と、フレームチェックシーケンス（ＦＣＳ：ｆｒａｍｅ  ｃｈｅｃｋ  ｓｅｑｕｅｎｃｅ）フィールド２１４を含む。ＭＡＣフレームフォーマットのこの態様は、下位互換性を保証する従来技術と同じである。ＭＡＣヘッダ２０４は、フレーム制御と、所要時間／ＩＤと、アドレス１と、アドレス２と、アドレス３と、シーケンス制御と、アドレス４を含む。これらの要素は、当業者にはよく知られている。
【００１２】
しかし、本発明によれば、ＭＡＣヘッダ２０４はさらに、メッシュ制御フィールド２０２を含む。メッシュ制御フィールド２０２は、ＩＭＰアドレスフィールド２０６と、ＥＭＰアドレスフィールド２０８を備える。受信側メッシュポイントは、メッシュ制御フィールド２０２でＩＭＰ  １０４4およびＩＭＰ  １０４2を認識し、ＩＭＰアドレスフィールド２０６に従ってＩＭＰ  １０４4または他の中間メッシュポイントにＡＣＫを送信してもよい。図４のＭＡＣフレームフォーマットは一例として示されており、メッシュ制御フィールド２０２は、ＭＡＣフレーム２００内の任意の位置に含まれてよく、ＩＭＰおよびＥＭＰアドレスフィールドの長さは変化してもよいことに留意されたい。
【００１３】
ルーティング機能が各メッシュポイントにおいて使用可能であり、このルーティング機能は、メッシュポイントが、メッシュ制御フィールド２０２内に含まれるＥＭＰアドレスに基づいて、データをルーティングするのにどのパスが使用されるかを知ることを可能にする。ＩＭＰ  １０４4がＡＣＫを受信するとき、ＩＭＰ  １０４4はそのキュー中の関連するデータを廃棄することができる。ＩＭＰ  １０４4が否定応答（ＮＡＣＫ：ｎｏｎ−ａｃｋｎｏｗｌｅｄｇｅｍｅｎｔ）を受信するとき、ＩＭＰ  １０４4はデータ再送する。どんなバッファオーバーフローをも回避するため、ＩＭＰ  １０４4は、ＥＭＰ  １０４2からＡＣＫもＮＡＣＫも受信しない場合は、一定の時間量（タイムアウト）の後にそのキューからデータを廃棄すべきである。
【００１４】
図３は、本発明による、ＩＭＰ（この例ではメッシュポイント１０４4）と、ＥＭＰ（この例ではメッシュポイント１０４2）と、中間メッシュポイント１０４7、１０４8、１０４6、１０４3（便宜上それらのすべてが図３に示されているとは限らない）の間で、データパケットおよびＡＣＫを、データパス「Ｂ」に沿って送信するためのシグナリングの図である。このデータパケットは、中間メッシュポイント１０４7、１０４8、１０４6、１０４3を通ってＩＭＰ  １０４4からＥＭＰ  １０４2に転送される。以下で詳細に説明するように、ＭＡＣフレーム２００は、ＩＭＰアドレスフィールド２０６およびＥＭＰアドレスフィールド２０８内にＩＭＰ  １０４4とＥＭＰ  １０４2アドレスの両方を含む。中間メッシュポイント１０４7、１０４8、１０４6、１０４3およびＥＭＰ  １０４2は、データパケットの受信に成功したとき、中間メッシュポイント１０４7、１０４8、１０４6、１０４3およびＥＭＰ  １０４4は、その前の中間メッシュポイントまたはＩＭＰ  １０４4にＡＣＫを送る。図３は一例であり、ゼロまたは任意の数の中間メッシュポイントがＩＭＰ  １０４4とＥＭＰ１０４2の間に存在してもよいことに留意されたい。さらに、ＡＣＫを送るために使用される中間メッシュポイントは、データパケットがそれを介して転送される同じメッシュポイント、または異なるメッシュポイントであってもよい。
【００１５】
本発明の肯定応答メカニズムは、メッシュＷＬＡＮ上のシングルホップ(single hop)とマルチホップの両方のデータ伝送をサポートする。この肯定応答メカニズムは、４つのモードで動作する。１）より信頼できるデータ転送（たとえば、ＦＴＰ、ＨＴＴＰ）のためのＥＭＰ−ＩＭＰ間データ肯定応答、２）信頼できるデータ転送のためのシングルホップのデータ肯定応答、３）非常に信頼性の高いデータ転送（たとえば、シグナリング）のための結合されたＥＭＰ−ＩＭＰ間とシングルホップのデータ肯定応答、および４）高スループット、パケット損失からの回復力、遅延に敏感なデータ転送（たとえば、ビデオ／オーディオストリーミング）のための肯定応答なし。
【００１６】
第１のモード（ＥＭＰ−ＩＭＰ間肯定応答）において、肯定応答は、すべてのパスを通って行われる。ＩＭＰによって送信されたパケットをＥＭＰが受け取るとるたびに、ＥＭＰは、受信されたパケットに含まれたＩＭＰアドレスを使用して、発信元にＡＣＫを送り返す。
【００１７】
第２のモード（シングルホップ肯定応答）において、肯定応答は、送信メッシュポイントとそのすぐ次の受信メッシュポイントとの間のあらゆるホップで行われる。
【００１８】
第３のモード（結合されたＥＭＰ−ＩＭＰ間肯定応答とシングルホップ肯定応答）において、第１のモードと第２のモードを結合する。
【００１９】
第４のモードにおいて、ＩＭＰとＥＭＰの間で肯定応答は必要ない。これは、データ伝送の信頼性に影響を及ぼすが、送信遅延を低減させる。
【００２０】
フレーム制御フィールド２１０（図４に図示する）内のフレームサブタイプ情報要素のための新しいフレームサブタイプもまた、ＭＡＣフレーム２００がＩＭＰのアドレスフィールド２０６とＥＭＰアドレスフィールド２０８とを含むことを示すために定義される。フレーム制御フィールド２１０は、上述の４つのモードのうちのどの肯定応答モードがこのデータパケットに使用されることになるかを知らせることもできる。
【００２１】
上述の４つのモードのうちの第１と第３のモードでは、ＭＡＣフレームフォーマットは、ＥＭＰ−ＩＭＰ間  ＡＣＫが、データパケットの送信に使用されたものと異なる別のパスを通って送信されることを可能にする。送信遅延の低減のために、送信側は、次のフレームを送信する前にＡＣＫが受信されるのを待つ必要はない（すなわち、送信と肯定応答は非同期であり得る）。この場合、バルクＡＣＫ（ｂｕｌｋ  ＡＣＫ）が、ネットワーク上のトラフィックを減少させるために使用され得る。ＡＣＫのデータとの競合を減少させるために、ＡＣＫは、トラフィックレベルに応じて異なるパスを介して意図的に送信されることもできる。このメカニズムは、音声アプリケーションなどの、遅延に敏感であり、エラー耐性のあるアプリケーションのために使用され得る。
【００２２】
図５は、本発明による、ＩＭＰにＡＣＫを送るための処理３００のフローチャートである。ＭＡＣフレームが、データパケットにＭＡＣヘッダを付加することにより生成される（ステップ３０２）。ＭＡＣヘッダは、ＩＭＰのアドレスおよびＥＭＰアドレスのフィールドを含む。ＭＡＣフレームは、直接にまたは１以上の中間メッシュポイントを介してＥＭＰに転送される（ステップ３０４）。もしあれば中間のメッシュポイント、およびＥＭＰは、データパケット受信の成功のＡＣＫをＩＭＰに送る（ステップ３０６）。
【００２３】
本発明の特徴および要素について、好ましい実施形態では特定の組合せで述べているが、それぞれの特徴または要素は、好ましい実施形態の他の特徴および要素なしで単独に、または本発明の他の特徴および要素を伴いまたは伴わずに様々な組合せで使用できる。
【実施例１】
【００２４】
メディアアクセス制御（ＭＡＣ）フレームを処理する手段
を備える無線局（ＳＴＡ）。
【実施例２】
【００２５】
メッシュネットワーク内で使用するための実施例１のＳＴＡ。
【実施例３】
【００２６】
ＩＥＥＥ  ８０２．１１無線プロトコルを使用する任意の前述実施例のＳＴＡ。
【実施例４】
【００２７】
ＩＥＥＥ  ８０２．１１ｓ無線プロトコルを使用する任意の前述実施例のＳＴＡ。
【実施例５】
【００２８】
８０２．１５無線プロトコルを使用する任意の前述実施例のＳＴＡ。
【実施例６】
【００２９】
８０２．１５．５無線プロトコルを使用する任意の前述実施例のＳＴＡ。
【実施例７】
【００３０】
８０２．１６無線プロトコルを使用する任意の前述実施例のＳＴＡ。
【実施例８】
【００３１】
ＭＡＣフレームがＩＭＰアドレスを含む任意の前述実施例のＳＴＡ。
【実施例９】
【００３２】
ＩＭＰアドレスがメッシュネットワークへの入口点のアドレスを示す実施例８のＳＴＡ。
【実施例１０】
【００３３】
ＭＡＣフレームがＭＡＣヘッダを含む任意の前述実施例のＳＴＡ。
【実施例１１】
【００３４】
ＭＡＣフレームがフレーム本体を含む任意の前述実施例のＳＴＡ。
【実施例１２】
【００３５】
ＭＡＣフレームがフレームチェックシーケンスフィールドを含む任意の前述実施例のＳＴＡ。
【実施例１３】
【００３６】
ＭＡＣフレームはＭＡＣヘッダを含み、ＭＡＣヘッダはフレーム制御を含む任意の前述実施例のＳＴＡ。
【実施例１４】
【００３７】
ＭＡＣフレームはＭＡＣヘッダを含み、ＭＡＣヘッダは所要時間／ＩＤを含む任意の前述実施例のＳＴＡ。
【実施例１５】
【００３８】
ＭＡＣフレームはＭＡＣヘッダを含み、ＭＡＣヘッダはアドレスフィールドを含む任意の前述実施例のＳＴＡ。
【実施例１６】
【００３９】
ＭＡＣフレームはＭＡＣヘッダを含み、ＭＡＣヘッダは複数のアドレスフィールドを含む任意の前述実施例のＳＴＡ。
【実施例１７】
【００４０】
ＭＡＣフレームはＭＡＣヘッダを含み、ＭＡＣヘッダはシーケンス制御を含む任意の前述実施例のＳＴＡ。
【実施例１８】
【００４１】
ＭＡＣフレームはＭＡＣヘッダを含み、ＭＡＣヘッダはメッシュ制御フィールドを含む任意の前述実施例のＳＴＡ。
【実施例１９】
【００４２】
ＭＡＣフレームはメッシュ制御フィールドを含み、メッシュ制御フィールドはＩＭＰアドレスフィールドを含む任意の前述実施例のＳＴＡ。
【実施例２０】
【００４３】
ＭＡＣフレームはメッシュ制御フィールドを含み、メッシュ制御フィールドはＥＭＰアドレスフィールドを含む任意の前述実施例のＳＴＡ。
【実施例２１】
【００４４】
ＥＭＰアドレスフィールドが無線のメッシュネットワークからの出口点を示す実施例２０のＳＴＡ。
【実施例２２】
【００４５】
ＩＭＰアドレスに肯定応答を送る手段を備える任意の前述実施例のＳＴＡ。
【実施例２３】
【００４６】
ＳＴＡがメッシュネットワークへの入口点である場合、肯定応答を受信した上で、そのキュー中の関連するデータを廃棄する任意の前述実施例のＳＴＡ。
【実施例２４】
【００４７】
ＳＴＡがメッシュネットワークへの入口点である場合、否定応答を受信した上で、そのキュー中の関連するデータを再送する任意の前述実施例のＳＴＡ。
【実施例２５】
【００４８】
ＳＴＡがメッシュネットワークへの入口点である場合、肯定応答または否定応答を受信しないとき、一定時間の後、そのキュー中の関連するデータを廃棄する任意の前述実施例のＳＴＡ。
【実施例２６】
【００４９】
ＭＡＣフレームの受信に成功した上で、肯定応答を送信する任意の前述実施例のＳＴＡ。
【実施例２７】
【００５０】
肯定応答がメッシュネットワーク内のＭＡＣフレームと異なるパスに続く実施例２５のＳＴＡ。
【実施例２８】
【００５１】
肯定応答がメッシュネットワーク上でシングルホップ伝送を使用して送られる実施例２５のＳＴＡ。
【実施例２９】
【００５２】
肯定応答がメッシュネットワーク上でマルチホップ伝送を使用して送られる実施例２５のＳＴＡ。
【実施例３０】
【００５３】
肯定応答が入口アドレスに送られる実施例２５のＳＴＡ。
【実施例３１】
【００５４】
肯定応答がシングルホップデータ肯定応答を使用して入口アドレスに送られる実施例２５のＳＴＡ。
【実施例３２】
【００５５】
肯定応答が送信されない実施例１〜２１のいずれか１つのＳＴＡ。
【実施例３３】
【００５６】
肯定応答が出口アドレスから入口アドレスに送られる実施例２５のＳＴＡ。
【実施例３４】
【００５７】
肯定応答が、シングルホップのデータ肯定応答を使用して出口アドレスから入口アドレスに送られる実施例２５のＳＴＡ。
【実施例３５】
【００５８】
ＳＴＡが、前のフレームから肯定応答を受信する前に次のフレームを送信する任意の前述実施例のＳＴＡ。
【実施例３６】
【００５９】
任意の前述の請求項の少なくとも１つのＳＴＡを備えるメッシュシステム。
【実施例３７】
【００６０】
請求項１〜３４の任意の１つのＳＴＡおよび少なくとも１つの他のＳＴＡを備えるメッシュシステム。
【実施例３８】
【００６１】
請求項１〜３４の任意の１つのＳＴＡを採用する方法。
【実施例３９】
【００６２】
請求項３５〜３６の任意の１つのメッシュシステムを採用する方法。
【実施例４０】
【００６３】
メディアアクセス制御（ＭＡＣ）フレームを提供すること
を備える方法。
【実施例４１】
【００６４】
無線局（ＳＴＡ）内で使用するための実施例３９の方法。
【実施例４２】
【００６５】
メッシュネットワーク内で使用するための実施例３９の方法。
【実施例４３】
【００６６】
ＩＥＥＥ  ８０２．１１無線プロトコルを使用する実施例３９〜４１の任意の１つの方法。
【実施例４４】
【００６７】
ＩＥＥＥ  ８０２．１１ｓ無線プロトコルを使用する実施例３９〜４２の任意の１つの方法。
【実施例４５】
【００６８】
８０２．１５無線プロトコルを使用する実施例３９〜４３の任意の１つの方法。
【実施例４６】
【００６９】
８０２．１５．５無線プロトコルを使用する実施例３９〜４４の任意の１つの方法。
【実施例４７】
【００７０】
８０２．１６無線プロトコルを使用する実施例３９〜４５の任意の１つの方法。
【実施例４８】
【００７１】
ＭＡＣフレームはＩＭＰアドレスを含む実施例３９〜４６の任意の１つの方法。
【実施例４９】
【００７２】
ＩＭＰアドレスがメッシュネットワークへの入口点のアドレスを示す実施例４７の方法。
【実施例５０】
【００７３】
ＭＡＣフレームがＭＡＣヘッダを含む実施例３９〜４８の任意の１つの方法。
【実施例５１】
【００７４】
ＭＡＣフレームがフレーム本体を含む実施例３９〜４９の任意の１つの方法。
【実施例５２】
【００７５】
ＭＡＣフレームがフレームチェックシーケンスフィールドを含む実施例３９〜５０の任意の１つの方法。
【実施例５３】
【００７６】
ＭＡＣフレームはＭＡＣヘッダを含み、ＭＡＣヘッダはフレーム制御を含む実施例３９〜５１の任意の１つの方法。
【実施例５４】
【００７７】
ＭＡＣフレームはＭＡＣヘッダを含み、ＭＡＣヘッダは所要時間／ＩＤを含む実施例３９〜５２の任意の１つの方法。
【実施例５５】
【００７８】
ＭＡＣフレームはＭＡＣヘッダを含み、ＭＡＣヘッダはアドレスフィールドを含む実施例３９〜５３の任意の１つの方法。
【実施例５６】
【００７９】
ＭＡＣフレームはＭＡＣヘッダを含み、ＭＡＣヘッダは複数のアドレスフィールドを含む実施例３９〜５４の任意の１つの方法。
【実施例５７】
【００８０】
ＭＡＣフレームはＭＡＣヘッダを含み、ＭＡＣヘッダはシーケンス制御を含む実施例３９〜５５の任意の１つの方法。
【実施例５８】
【００８１】
ＭＡＣフレームはＭＡＣヘッダを含み、ＭＡＣヘッダはメッシュ制御フィールドを含む実施例３９〜５６の任意の１つの方法。
【実施例５９】
【００８２】
ＭＡＣフレームはメッシュ制御フィールドを含み、メッシュ制御フィールドはＩＭＰアドレスフィールドを含む実施例３９〜５７の任意の１つの方法。
【実施例６０】
【００８３】
ＭＡＣフレームはメッシュ制御フィールドを含み、メッシュ制御フィールドはＥＭＰアドレスフィールドを含む実施例３９〜５８の任意の１つの方法。
【実施例６１】
【００８４】
ＥＭＰアドレスフィールドが無線のメッシュネットワークからの出口点を示す実施例３９〜５９の任意の１つの方法。
【実施例６２】
【００８５】
ＩＭＰアドレスに肯定応答を送ることを備えた実施例３９〜６０の任意の１つの方法。
【実施例６３】
【００８６】
ＳＴＡは、メッシュネットワークへの入口点である場合、肯定応答を受信した上で、そのキュー中の関連するデータを廃棄する実施例３９〜６１の任意の１つの方法。
【実施例６４】
【００８７】
ＳＴＡは、メッシュネットワークへの入口点である場合、否定応答を受信した上で、そのキュー中の関連するデータを再送する実施例３９〜６２の任意の１つの方法。
【実施例６５】
【００８８】
ＳＴＡは、メッシュネットワークへの入口点である場合、肯定応答または否定応答を受信しないとき、一定時間の後、そのキュー中の関連するデータを廃棄する実施例３９〜６３の任意の１つの方法。
【実施例６６】
【００８９】
ＭＡＣフレームの受信の成功の上で、肯定応答を送る実施例３９〜６４の任意の１つの方法。
【実施例６７】
【００９０】
肯定応答がメッシュネットワーク内でＭＡＣフレームと異なるパスに続く実施例６５の方法。
【実施例６８】
【００９１】
肯定応答がメッシュネットワーク上でシングルホップ伝送を使用して送られる実施例６５の方法。
【実施例６９】
【００９２】
肯定応答がメッシュネットワーク上でマルチホップ伝送を使用して送られる実施例６５の方法。
【実施例７０】
【００９３】
肯定応答が入口アドレスに送られる実施例６５の方法。
【実施例７１】
【００９４】
肯定応答がシングルホップデータ肯定応答を使用して入口アドレスに送られる実施例６５の方法。
【実施例７２】
【００９５】
肯定応答が送信されない実施例３９〜６４の任意の１つの方法。
【実施例７３】
【００９６】
肯定応答は出口アドレスから入口アドレスに送られる実施例６５の方法。
【実施例７４】
【００９７】
肯定応答は、シングルホップのデータ肯定応答を使用して出口アドレスから入口アドレスに送られる実施例６５の方法。
【実施例７５】
【００９８】
ＳＴＡが、前のフレームから肯定応答を受信する前に、次のフレームを送信する実施例３９〜７３の任意の１つの方法。
【図面の簡単な説明】
【００９９】
【図１】本発明が実装されるメッシュＷＬＡＮの図である。
【図２】従来技術のＭＡＣフレームの図である。
【図３】本発明による、ＩＭＰとＥＭＰと介在メッシュポイントとの間でデータおよび肯定応答を送信するためのシグナリング図である。
【図４】本発明によるメッシュＭＡＣフレームの図である
【図５】本発明による、ＩＭＰにＡＣＫを送信するための処理のフロー図である。
【図１】
2008512949.tif 000003
【図２】
2008512949.tif 000004
【図３】
2008512949.tif 000005
【図４】
2008512949.tif 000006
【図５】
2008512949.tif 000007
【国際調査報告】
2008512949.tif 000008